(57)【要約】【課題】通信エラーにより画像形成開始タイミングが遅延されることを防止できる画像形成装置を提供する。【解決手段】ＬＥＤチップ４４が設けられたＬＥＤアレイ４２を備え、各ＬＥＤの発光光量を均一にするために設定され、ＥＥＰＲＯＭ４８に予め記憶された出荷時データに基づいてＬＥＤアレイ４２により記録媒体を露光するための補正データを生成し、生成した補正データをＬＥＤアレイ４２に送信するに際し、補正データが正常に受信されたか異常が生じているかを識別し、正常であると識別された場合には、補正データと出荷時データとの差分を示す差分データをＥＥＰＲＯＭ４８に格納し、正常でないと識別された場合には補正データの再送信を行うと共に、予め設定された回数だけ再送信を行なっても正常に受信されたと識別されない場合は補正データの送信を中止して、ＥＥＰＲＯＭ４８に保持された差分データと出荷時データとに基づく再現補正データを用いる。【選択図】図５
2008225305.tif 000002
【特許請求の範囲】
【請求項１】
複数個の発光素子が配列された発光素子アレイが設けられた記録ヘッドを備えた画像形成装置であって、
各発光素子の発光光量を均一にするために設定された光量補正データに基づいて、前記記録ヘッドにより記録媒体を露光するための露光用補正データを生成する生成手段と、
前記露光用補正データを前記記録ヘッドに送信する送信手段と、
前記記録ヘッドに設けられ、前記露光用補正データを受信する受信手段と、
前記受信手段で受信された前記露光用補正データが正常か異常かを識別する識別手段と、
前記記録ヘッドに設けられ、前記識別手段により正常であると識別された露光用補正データを保持する保持手段と、
前記識別手段により受信した露光用補正データが正常でないと識別された場合に、前記送信手段による前記露光用補正データの再送信を行うと共に、予め設定された回数又は時間だけ前記再送信を行なっても前記識別手段により正常に受信されたと識別されない場合に、前記送信手段による前記露光用補正データの送信を中止して、前記保持手段に保持された露光用補正データを適用するように前記記録ヘッドを制御する記録ヘッド制御手段と、
を備えた画像形成装置。
【請求項２】
複数個の発光素子が配列された発光素子アレイが設けられた記録ヘッドを備えた画像形成装置であって、
各発光素子の発光光量を均一にするために設定された光量補正データに基づいて、前記記録ヘッドにより記録媒体を露光するための露光用補正データを生成する生成手段と、
前記露光用補正データを前記記録ヘッドに送信する送信手段と、
前記記録ヘッドに設けられ、前記露光用補正データを受信する受信手段と、
前記受信手段で受信された前記露光用補正データが正常か異常かを識別する識別手段と、
前記記録ヘッドに設けられ、前記光量補正データ、及び前記識別手段により正常であると識別された露光用補正データと前記光量補正データとの差分を示す差分データを保持する保持手段と、
前記識別手段により受信した露光用補正データが正常でないと識別された場合に、前記送信手段による前記露光用補正データの再送信を行うと共に、予め設定された回数又は時間だけ前記再送信を行なっても前記識別手段により正常に受信されたと識別されない場合に、前記送信手段による前記露光用補正データの送信を中止し、前記光量補正データ及び前記差分データに基づいて導出される露光用補正データを適用するように前記記録ヘッドを制御する記録ヘッド制御手段と、
を備えた画像形成装置。
【請求項３】
複数個の発光素子が配列された発光素子アレイが設けられた記録ヘッドを備えた画像形成装置であって、
各発光素子の発光光量を均一にするために設定された光量補正データに基づいて、前記記録ヘッドにより記録媒体を露光するための露光用補正データを生成する生成手段と、
前記露光用補正データを前記記録ヘッドに送信する送信手段と、
前記記録ヘッドに設けられ、前記露光用補正データを受信する受信手段と、
前記受信手段で受信された前記露光用補正データが正常か異常かを識別する識別手段と、
前記記録ヘッドに設けられ、前記光量補正データ、及び前記識別手段により正常であると識別された露光用補正データと前記光量補正データとの差分を示す差分データを保持する保持手段と、
前記識別手段により受信した露光用補正データが正常でないと識別された場合に、前記送信手段による前記露光用補正データの再送信を行うと共に、予め設定された回数又は時間だけ前記再送信を行なっても前記識別手段により正常に受信されたと識別されない場合に、前記送信手段による前記露光用補正データの送信を中止して、前記保持手段に保持された前記差分データが示す差分が予め設定した差分よりも小さい場合は前記補正データを、他の場合には前記光量補正データ及び前記差分データに基づいて導出される露光用補正データを適用するように前記記録ヘッドを制御する記録ヘッド制御手段と、
を備えた画像形成装置。
【請求項４】
複数個の発光素子が配列された発光素子アレイが設けられた記録ヘッドを備えた画像形成装置であって、
各発光素子の発光光量を均一にするために設定された光量補正データに基づいて、前記記録ヘッドにより記録媒体を露光するための露光用補正データを生成する生成手段と、
前記露光用補正データを前記記録ヘッドに送信する送信手段と、
前記記録ヘッドに設けられ、前記露光用補正データを受信する受信手段と、
前記受信手段で受信された前記露光用補正データが正常か異常かを識別する識別手段と、
前記記録ヘッドの動作環境温度を検出する検出手段と、
前記記録ヘッドに設けられ、前記生成手段により生成される前記露光用補正データと前記補正データとの差分を示す差分データを、前記動作環境温度毎に予め複数種類保持すると共に、前記光量補正データを保持する保持手段と、
前記識別手段により受信した露光用補正データが正常でないと識別された場合に、前記送信手段による前記露光用補正データの再送信を行うと共に、予め設定された回数又は時間だけ前記再送信を行なっても前記識別手段により正常に受信されたと識別されない場合に、前記送信手段による前記露光用補正データの送信を中止して、前記保持手段に保持された差分データのうち前記検出手段により検出された動作環境温度に応じた差分データと前記光量補正データとに基づいて前記露光用補正データを導出して適用するように前記記録ヘッドを制御する記録ヘッド制御手段と、
を備えた画像形成装置。
【請求項５】
前記記録ヘッド制御手段は、前記記録ヘッドへの電源供給を開始する毎に、前記生成手段による前記露光用補正データを生成及び前記送信手段による前記露光用補正データの送信を実行することを特徴とする請求項１〜請求項４の何れか１項記載の画像形成装置。
【発明の詳細な説明】
【技術分野】
【０００１】
本発明は、画像形成装置に関する。
【背景技術】
【０００２】
プリンタ、複写機、及びファクシミリ等の画像形成装置においては、データの送受信時にノイズの発生源となるファンやモータ等の駆動部品と共に情報処理装置が組み込まれる。
【０００３】
この種の画像形成装置では、記録ヘッドとして、ＬＥＤを記録素子として用いたＬＥＤプリントヘッドを用いることが提案されている。
【０００４】
ＬＥＤプリントヘッドは、一般に、多数のＬＥＤをライン状に配列したＬＥＤチップが配置されたＬＥＤアレイと、ＬＥＤから出力された光を感光体表面に結像させるために、複数のロッドレンズを配列したセルフォックレンズと、を含んで構成されている。画像形成装置では、画像データに基づいてＬＥＤプリントヘッドの各ＬＥＤを駆動させて、感光体へ向けて光を出力させ、セルフォックレンズによって出力された光を感光体表面に結像させることにより、感光体の画像データに基づく露光を行うと共に、感光体とＬＥＤプリントヘッドを相対移動させる（この移動方向を「副走査方向」という）ことにより、露光位置を移動させて感光体上に画像を形成する。
【０００５】
このようＬＥＤプリントヘッドを用いた画像形成装置では、出力エネルギ量のばらつきが露光エネルギ分布のムラとなり、これが副走査方向のすじとなって画像上にあらわれ、画質を低下させる原因となる。
【０００６】
そこで、ＬＥＤプリントヘッドを用いた画像形成装置では、各ＬＥＤ素子毎の製造ばらつきや、チップの製造ばらつきに応じて、発光光量や発光タイミングを補正する必要がある。
【０００７】
この補正を行うために、画像形成装置本体とＬＥＤプリントヘッドとの間では、電源投入時やプリント実行時等に、通信による補正データの授受を行う場合がある。この補正データの送信中にノイズや通信エラーが発生した場合、ノイズの程度によっては、画質を低下させる原因となる恐れがあるので、補正データの送信が正常に終了するまで送信を繰り返す必要がある。このため、ノイズや通信エラーの程度によっては印刷を開始するまでに多大な時間がかかる。
【０００８】
従来、ドット補正機能付きＬＥＤプリントヘッドにおいて、ＬＥＤプリントヘッドに設けられた補正データ格納用ＲＯＭに複数組の補正データを記憶し、前記複数組の補正データの中から所望の補正データをユーザが選択して濃度に応じた印字ムラのない印字を行なえるように構成することが提案されている（例えば、特許文献１参照。）。しかし、この技術では、通信エラーなどにより補正データの選択・切り替えに時間が係る場合について考慮されていない。
【特許文献１】特開２００３−２７６２４５公報
【発明の開示】
【発明が解決しようとする課題】
【０００９】
本発明は、通信エラーにより画像形成開始タイミングが遅延することを防止できる画像形成装置を提供することを目的とする。
【課題を解決するための手段】
【００１０】
上記課題を解決するために、請求項１記載の発明は、複数個の発光素子が配列された発光素子アレイが設けられた記録ヘッドを備えた画像形成装置であって、各発光素子の発光光量を均一にするために設定された光量補正データに基づいて、前記記録ヘッドにより記録媒体を露光するための露光用補正データを生成する生成手段と、前記露光用補正データを前記記録ヘッドに送信する送信手段と、前記記録ヘッドに設けられ、前記露光用補正データを受信する受信手段と、前記記録ヘッドに設けられ、前記受信手段により前記露光用補正データが正常に受信されたか異常が生じているかを識別する識別手段と、前記記録ヘッドに設けられ、前記識別手段により正常であると識別された露光用補正データを保持する保持手段と、前記識別手段により受信した露光用補正データが正常でないと識別された場合に、前記送信手段による前記露光用補正データの再送信を行うと共に、予め設定された回数だけ前記再送信を行なっても前記識別手段により正常に受信されたと識別されない場合に、前記送信手段による前記露光用補正データの送信を中止して、前記保持手段に保持された露光用補正データを適用するように前記記録ヘッドを制御する記録ヘッド制御手段と、を備えている。
【００１１】
請求項１記載の発明によれば、記録ヘッドへの露光用補正データの送信が正常に行なえない場合、当該露光用補正データの送信を中止して、記録ヘッドに保持された露光用補正データを用いるようにしているので、通信エラーにより画像形成開始タイミングが遅延されることを防止できる。
【００１２】
なお、記録ヘッドの保持手段では、識別手段により正常に受信したと識別された露光用補正データを保持するようにしているので、光量補正データを用いるよりも良好に露光が実行できる。
【００１３】
また、請求項２記載の発明は、複数個の発光素子が配列された発光素子アレイが設けられた記録ヘッドを備えた画像形成装置であって、各発光素子の発光光量を均一にするために設定された光量補正データに基づいて、前記記録ヘッドにより記録媒体を露光するための露光用補正データを生成する生成手段と、前記露光用補正データを前記記録ヘッドに送信する送信手段と、前記記録ヘッドに設けられ、前記露光用補正データを受信する受信手段と、前記記録ヘッドに設けられ、前記受信手段により前記露光用補正データが正常に受信されたか異常が生じているかを識別する識別手段と、前記記録ヘッドに設けられ、前記光量補正データ、及び前記識別手段により正常であると識別された露光用補正データと前記光量補正データとの差分を示す差分データを保持する保持手段と、前記識別手段により受信した露光用補正データが正常でないと識別された場合に、前記送信手段による前記露光用補正データの再送信を行うと共に、予め設定された回数だけ前記再送信を行なっても前記識別手段により正常に受信されたと識別されない場合に、前記送信手段による前記露光用補正データの送信を中止して、前記保持手段に保持された前記差分データが示す差分が予め設定した差分よりも小さい場合は前記補正データを、他の場合には前記光量補正データ及び前記差分データに基づいて導出される露光用補正データを適用するように前記記録ヘッドを制御する記録ヘッド制御手段と、を備えている。
【００１４】
請求項２記載の発明によれば、記録ヘッドへの露光用補正データの送信が正常に行なえない場合、当該露光用補正データの送信を中止して、記録ヘッドに保持された光量補正データ、及び光量補正データと差分データとに基づいて導出される露光用補正データの何れかを用いるようにしているので、通信エラーにより画像形成開始タイミングが遅延されることを防止できる。
【００１５】
また、光量補正データと容量の少ない差分データとを保持するようにしているので、光量補正データと露光用補正データとをそれぞれ別個に保持する場合と比較して、保持するための記憶容量を節約できる。
【００１６】
さらに、請求項３記載の発明は、複数個の発光素子が配列された発光素子アレイが設けられた記録ヘッドを備えた画像形成装置であって、各発光素子の発光光量を均一にするために設定された光量補正データに基づいて、前記記録ヘッドにより記録媒体を露光するための露光用補正データを生成する生成手段と、前記露光用補正データを前記記録ヘッドに送信する送信手段と、前記記録ヘッドに設けられ、前記露光用補正データを受信する受信手段と、前記記録ヘッドに設けられ、前記受信手段により前記露光用補正データが正常に受信されたか異常が生じているかを識別する識別手段と、前記記録ヘッドの動作環境温度を検出する検出手段と、前記記録ヘッドに設けられ、前記生成手段により生成される前記露光用補正データと前記補正データとの差分を示す差分データを、前記動作環境温度毎に予め複数種類保持すると共に、前記光量補正データを保持する保持手段と、
前記識別手段により受信した露光用補正データが正常でないと識別された場合に、前記送信手段による前記露光用補正データの再送信を行うと共に、予め設定された回数だけ前記再送信を行なっても前記識別手段により正常に受信されたと識別されない場合に、前記送信手段による前記露光用補正データの送信を中止して、前記保持手段に保持された差分データのうち前記検出手段により検出された動作環境温度に応じた差分データと前記補正データとに基づいて前記露光用補正データを導出して適用するように前記記録ヘッドを制御する記録ヘッド制御手段と、を備えている。
【００１７】
請求項３記載の発明によれば、記録ヘッドへの露光用補正データの送信が正常に行なえない場合、当該露光用補正データの送信を中止して、記録ヘッドに保持された複数の差分データの何れかを用いて導出した露光用補正データを用いるようにしているので、通信エラーにより画像形成開始タイミングが遅延されることを防止できる。
【００１８】
特に、発光素子の発光光量が温度に依存して変化する特性がある点に着目し、差分データを動作環境温度に応じて複数種類保持するようにし、検出手段により検出した動作環境温度に応じた差分データを用いて露光用補正データを導出するので、細やかな制御が実現できる。
【００１９】
また、動作環境温度に応じた差分データを光量補正データと共に保持しておき、差分データと光量補正データとに基づいて露光用補正データを導出するようにしているので、動作環境温度に応じた露光用補正データを複数保持する場合と比較して、保持するための記憶容量を節約できる。
【００２０】
また、請求項１乃至請求項３の何れか１項記載の発明において、請求項４記載の発明のように、前記記録ヘッド制御手段は、前記記録ヘッドへの電源供給を開始する毎に、前記生成手段による前記露光用補正データを生成及び前記送信手段による前記露光用補正データの送信を実行するようにしてもよい。
【発明の効果】
【００２１】
以上説明した如く本発明は、通信エラーにより画像形成開始タイミングが遅延することを防止できる、という優れた効果を有する。また、副次的な効果として、光量補正データのみを使用するわけではなく、保持してある露光用補正データを用いるため、画質の低下が最小限ですむという効果も有する。また、差分データのみを保持する場合、全ての露光用補正データを記憶するよりも少ない容量で保持することができるため、コストダウンにも役立つ。
【発明を実施するための最良の形態】
【００２２】
以下、図面を参照して、本発明に係る実施の形態について説明する。
【００２３】
図１には、本実施の形態に係る画像形成装置１０の構成が概略的に示されている。同図に示されるように、画像形成装置１０には、複数の巻きかけローラ１２に張架され、モータ（図示省略）の駆動により矢印Ｅ方向に搬送される無端ベルト状の中間転写体ベルト１４の長手方向に沿って、複数の画像形成ユニット１５（詳細は後述する）が配設されている。
【００２４】
なお、本実施の形態における画像形成装置１０は、カラー画像の形成にも対応しており、イエロー（Ｙ）、マゼンタ（Ｍ）、シアン（Ｃ）、ブラック（Ｋ）の４色に対応するトナー像を形成する画像形成ユニット１５Ｙ、１５Ｍ、１５Ｃ、１５Ｋがそれぞれ配設されている。以下、各色毎に設けられた部材については、符号の末尾に各々の色を示すアルファベット（Ｙ／Ｍ／Ｃ／Ｋ）を付与して示すが、特に色を区別せずに説明する場合は、この符号末尾のアルファベットを省略して説明する。
【００２５】
各画像形成ユニット１５により形成された互いに異なる色のトナー像は、中間転写体ベルト１４のベルト面上で、互いに重なり合うように中間転写体ベルト１４に各々転写される。これにより、中間転写体ベルト１４上にカラーのトナー像が形成される。なお、本実施の形態では、このようにして４色のトナー像が重ねて転写されたトナー像を最終トナー像と称する。
【００２６】
４つの画像形成ユニット１５よりも中間転写体ベルト１４の搬送方向下流側には、対向する２つのローラ２６Ａ、２６Ｂからなる転写装置２６が配設されている。中間転写体ベルト１４上に形成された最終トナー像は、このローラ２６Ａ、２６Ｂの間に送り込まれ、画像形成装置１０の底部に設けられた用紙トレイ２９から取り出されて、同じくローラ２６Ａ、２６Ｂの間に搬送されてきた用紙２８に転写される。
【００２７】
また、最終トナー像が転写された用紙２８の搬送経路には、加圧ローラ３０Ａと加熱ローラ３０Ｂとからなる定着装置３０が配設されている。定着装置３０に搬送された用紙２８は、加圧ローラ３０Ａと加熱ローラ３０Ｂとによって挟持搬送されることにより用紙２８上のトナーが溶融すると共に用紙２８に圧着されて、定着される。これにより、用紙２８上に所望の画像（カラー画像）が形成される。画像が形成された用紙２８は装置外へ排出される。
【００２８】
一方、転写装置２６よりも中間転写体ベルト１４の搬送方向下流側には、転写装置２６によって用紙２８に転写されずに中間転写体ベルト上に残留したトナーを回収するクリーナ３２が配設されている。クリーナ３２には、中間転写体ベルト１４に接するようにブレード３４が備えられており、残留したトナーを擦り取ることによって回収する。
【００２９】
図２には、画像形成ユニット１５の構成が示されている。なお、各色の画像形成ユニット１５の構成は同様であるので、ここでは各々の色を示す末尾の符号を省略して説明する。
【００３０】
同図に示されるように、画像形成ユニット１５は、中間転写体ベルト１４に接するように配設され、矢印Ｆ方向に所定速度で回転する感光体ドラム１６を備えている。
【００３１】
各感光体ドラム１６の周面には、感光体ドラム１６の表面を所定の電位に一様に帯電させるための帯電ローラ１８が配置されている。帯電ローラ１８は、導電性のローラであり、その周面が感光体ドラム１６の周面に接触し、かつ帯電ローラ１８の軸線方向と感光体ドラム１６の軸線方向とが一致するように配設されている。
【００３２】
また、各感光体ドラム１６の回転方向Ｆの帯電ローラ１８よりも下流側の周面には、感光体ドラム１６上に静電潜像を形成するためのＬＥＤ（発光ダイオード）を光源としたＬＥＤプリントヘッド（ＬＰＨ）２０（詳細は後述）が備えられている。ＬＰＨ２０は、画像データに応じて光ビームを感光体ドラム１６に照射することにより、感光体ドラム１６上に静電潜像を形成する。
【００３３】
さらに、各感光体ドラム１６の回転方向ＦのＬＰＨ２０よりも下流側の周囲には、感光体ドラム１６上に形成された静電潜像を所定色（イエロー／マゼンタ／シアン／ブラック）のトナーによって現像してトナー像を形成させる現像器２２が配設されている。
【００３４】
現像器２２は、同図に示されるように、感光体ドラム１６に近接配置された現像ローラ３８及びブレード４０を含んで構成されている。現像ローラ３８には、現像バイアスが印加され、現像器２２内に装填されたトナーが周面に付着される。現像ローラ３８の回転方向Ｇへの回転により、現像ローラ３８に付着されたトナーが感光体ドラム１６の表面に搬送され、トナーが感光体ドラム１６に擦りつけられて、感光体ドラム１６上に形成された静電潜像が現像される。
【００３５】
また、各感光体ドラム１６の回転方向Ｆの現像器２２よりも下流側の周囲には、各感光体ドラム１６上のトナー像を中間転写体ベルト１４に転写する転写ローラ２５が備えられている。転写ローラ２５は、所定の電位に帯電されて矢印Ｈで示す方向に回転して中間転写体ベルト１４を所定の速度で搬送して感光体ドラム１６に順次対向させる。これにより、転写ローラ２５は、感光体ドラム１６上のトナーを中間転写体ベルト１４上に転写させる。
【００３６】
また、感光体ドラム１６の周面の転写ローラ２５よりも下流側には、感光体ドラム１６上の転写残トナーやリトランスファートナー等の残留トナーを回収するクリーニングブレード２４が配置されている。クリーニングブレード２４は、一辺が感光体ドラム１６と接触するように配設されており、中間転写体ベルト１４に転写されずに感光体ドラム１６上に残留したトナーや、転写時に感光体ドラム１６上に付着してしまった他の色のトナー等を削ぎとって回収するようになっている。
【００３７】
図３は、ＬＰＨ２０の構成の一例を示す概略図である。同図に示されるように、ＬＰＨ２０は、ＬＥＤアレイ４２と、セルフォックレンズアレイ４６と、を含んで構成されている。
【００３８】
同図に示されるように、ＬＥＤアレイ４２は、ＬＥＤアレイ４２の駆動を制御する各種信号を供給するための回路が形成されたプリント基板４２Ａに、多数（例えば、２５６個）のＬＥＤがライン状に配列されたＬＥＤチップ４４が複数配置されて構成されている。ＬＥＤアレイ４２全体のＬＥＤの数は、解像度に応じた画素（ドット）数分、例えば、Ａ３サイズ（４２０ｍｍ×２９７ｍｍ）の用紙まで対応し、主走査方向について６００ｄｐｉで印刷する場合には、約７０２０個設けられている。
【００３９】
また、同図に示されるように、ＬＥＤチップ４４は、各々のＬＥＤの配列方向を主走査方向に一致させて、複数のＬＥＤチップ４４を副走査方向の位置を所定のピッチだけ交互にずらして主走査方向に並べられ（千鳥配置）、プリント基板４２Ａに取りつけられている。このように千鳥配置にしたことにより、主走査方向に隣接するＬＥＤチップ４４の主走査方向位置を重複させて配置することができ、各ＬＥＤの間隔にばらつきが発生することがない。
【００４０】
なお、ＬＥＤチップ４４の配置は、主走査方向のＬＥＤの配設間隔が等間隔であれば、千鳥配置に拘らず一列に並べて配置してもよいし、ＬＥＤチップ４４を複数個ではなく１つだけ配置してあってもよい。
【００４１】
また、セルフォックレンズアレイ４６は、結像レンズとして、ＬＥＤアレイ４２と感光体ドラム１６との間に設けられている。セルフォックレンズアレイ４６は、屈折率分布型のロッドレンズが、例えば、解像度に応じた各画素（ドット）に対応したピッチで配列されて構成されており、各ＬＥＤから出射された光ビームを感光体ドラム１２上に結像させる。
【００４２】
図４は、実施の形態に係る画像形成装置１０における制御系の構成を示すブロック図である。同図に示されるように、画像形成装置１０は、装置全体の動作を制御する本体制御部６６を備えている。
【００４３】
本体制御部６６は、装置全体の動作を制御するＣＰＵ（中央処理装置）５０、ＲＯＭ５２、ＲＡＭ５４画像制御回路５６、入出力ポート（Ｉ／Ｏ）５８及び通信インターフェース（Ｉ／Ｆ）６４を含んで構成されている。これらのＣＰＵ５０、ＲＯＭ５２、ＲＡＭ５４、画像制御回路５６、Ｉ／Ｏポート５８、通信Ｉ／Ｆ６４は、それぞれバス５１に接続されている。
【００４４】
ＲＯＭ５２には、主としてＣＰＵ５０により実行される装置全体を制御する制御プログラムを含む各種プログラムや各種データ等が予め記憶されている。また、ＲＡＭ５４には、ＣＰＵ５０の処理に伴う各種データ等が一時的に記憶される。
【００４５】
また、通信Ｉ／Ｆ６４は、図示しないネットワークや通信回線を介して有線又は無線で外部端末と接続され、当該外部端末から用紙２８に記録する画像データを受信する。
【００４６】
また、Ｉ／Ｏポート５８には、各駆動部を駆動するためのモータ６０、装置内の熱を放出するためのファン６２等が接続されている。Ｉ／Ｏポート５８は、ＣＰＵ５０からの制御信号を各部位に出力すると共に、各部位の動作状態を示す信号等を適宜ＣＰＵ５０に入力する。
【００４７】
また、画像制御回路５６は、各色のＬＰＨ２０Ｙ、２０Ｍ、２０Ｃ、２０ＫのＬＥＤアレイ４２Ｙ、４２Ｍ、４２Ｃ、４２Ｋと接続されている。画像制御回路５６では、Ｉ／Ｆ６４を介して入力された画像データに対して所定の処理を施すと共に、画像データをＣＭＹＫ色の各ＬＥＤアレイ４２Ｙ、４２Ｍ、４２Ｃ、４２Ｋにおいて解読可能なデータ構造に変換し、各ＬＥＤアレイ４２Ｙ、４２Ｍ、４２Ｃ、４２Ｋに出力する。
【００４８】
また、画像制御回路５６では、ＬＥＤアレイ４２の電源をＯＮする毎に、各ＬＥＤアレイ４２Ｙ、４２Ｍ、４２Ｃ、４２Ｋを構成するＬＥＤチップ４４の製造ばらつきを解消するための補正データが、各ＬＥＤアレイ４２Ｙ、４２Ｍ、４２Ｃ、４２Ｋ毎に生成される。生成した補正データは、各ＬＥＤアレイ４２Ｙ、４２Ｍ、４２Ｃ、４２Ｋに出力される。なお、補正データとしては、発光光量、発光タイミング等の補正情報があげられる。
【００４９】
ＬＥＤアレイ４２Ｙ、４２Ｍ、４２Ｃ、４２Ｋは、それぞれヘッド制御回路４０、複数のＬＥＤチップ４４及びＥＥＰＲＯＭ４８を含んで構成されており、ＥＥＰＲＯＭ４８、各ＬＥＤチップ４４は、それぞれヘッド制御回路４０に接続されている。
【００５０】
ＥＥＰＲＯＭ４８には、ＬＰＨ２０の工場出荷時における、各ＬＥＤチップ４４の製造ばらつきを解消するための補正データ（以下、「出荷時データ」という。）が予め記憶されている。
【００５１】
すなわち、ＬＥＤチップ４４に含まれる各ＬＥＤに対して同一の駆動制御を行った場合の発光光量は同一とはならない。このため、各ＬＥＤの発光光量を予め設定された基準光量にするための補正データを各ＬＥＤチップ４４の工場出荷時等に予め導出しておき、それぞれ出荷時データとして記憶している。
【００５２】
また、ヘッド制御回路４０は、画像制御部５６から入力された画像データや上記画像制御回路５６により生成・出力された補正データ等をヘッド制御回路４０内の一時記憶領域（ＲＡＭ）に一時的に記憶して、これらの情報に基づいてＬＥＤチップ４４の各ＬＥＤを駆動する。
【００５３】
図５には、補正データの生成及び通信に関する制御機能ブロック図が示されている。同図に示されるように、画像制御部５６は、ＬＥＤプリントヘッド（ＬＰＨ）制御部７２と、補正データ生成部７４と、を含んで構成されている。ＬＰＨ制御部７２は、補正データ生成部７４及びＬＥＤアレイ４２と接続されている。
【００５４】
画像制御部５６では、ＬＥＤアレイ４２の電源をＯＮすることを示す信号が入力されると、不図示の電源供給制御部に対してＬＥＤアレイ４２への電源の供給を指示すると共に、ＬＰＨ制御部７２によりヘッド駆動回路４０への電源供給開始処理が実行される。
【００５５】
ＬＰＨ制御部７２では、電源供給開始処理として、ＬＥＤアレイ４２に対する出荷時データの送信要求の出力、補正データ生成部７４に対する受信した出荷時データに基づく補正データの生成指示、補正データ生成部７４により生成された補正データのヘッド駆動回路４０への送信及び通信状態の異常発生の検知等の処理が実行される。
【００５６】
補正データ生成部７４では、更に画像形成装置１０の画像形成に関わる各部位の特性の製造ばらつきや経時変化に応じた情報に基づいて、出荷時データを更新する。すなわち、出荷時データは各ＬＥＤチップ４４毎に作成された、光量を均一にするためのデータであるので、画像形成装置１０に組み込む際の組み付け誤差や感光体ドラム１６の表面のわずかな傾斜や歪みなどに起因する光路差や、ＬＥＤアレイ４２に組み込む際の組み付け誤差、千鳥配置にしたことによる副走査方向の配置位置ずれを考慮した発光タイミングの補正などを更に考慮して、発光タイミング、発光光量等を調整するように補正データが生成される。
【００５７】
ここで、本実施の形態では、ＬＰＨ制御部７２では、補正データの送信後、ＬＥＤアレイ４２に対して補正データの返信要求を送信し、当該要求に応じてＬＥＤアレイ４２から返信される補正データが、ＬＰＨ制御部７２が送信した補正データと一致する場合は送信状態が正常であるものと判断して、ＬＥＤアレイ４２に対して補正データの反映指示を送信する。一方、返信された補正データと送信した補正データとが一致しない場合は、通信エラーと判断して同じ補正データを送信する（再送信）。
【００５８】
なお、補正データが一致するか否かの判断は、例えば、チェックサムを送信するデータの末尾に付加する方式を用いても実行できる。この場合、補正データとして送信するデータを数値とみなし、この数値の合計をデータの末尾にチェックサムとして導出し、送信した補正データに基づいて導出した数値の合計と、返信された補正データに基づいて導出した数値の合計とを比較して、一致していれば正常と判断する。一方、一致しない場合は通信エラーであると判断する。
【００５９】
また、ＬＰＨ制御部７２では、予め設定された回数（Ｍ）だけ繰り返し再送信を実行しても正常に補正データの送信が行なえない場合は、通信状態が異常であると検知する。ＬＰＨ制御部７２では、通信状態の異常を検知すると、今回の電源供給開始処理における補正データの送信を中止すると共に、自己復帰することを示すリセット信号をＬＥＤアレイ４２に送信する。
【００６０】
一方、ＬＥＤアレイ４２のヘッド駆動回路４０は、動作制御部８０と、データ作成部８２と、チップ駆動部８４と、を含んで構成されている。動作制御部８０は、補正データ格納部（ＥＥＰＲＯＭ）４８、データ作成部８２及びチップ駆動部８４と接続されている。
【００６１】
動作制御部８０は、画像制御部５６のＬＰＨ制御部７２と接続されており、ＬＰＨ制御部７２から入力される制御信号及び画像データに基づいてＬＰＨ２０（ＬＥＤアレイ４２）の動作を制御する。
【００６２】
動作制御部８０では、出荷時データの送信要求を受信すると、補正データ格納部４８から出荷時データを読出し、ＬＰＨ制御部７２に送信する。
【００６３】
また、動作制御部８０では、ＬＰＨ制御部７２によって送信された補正データを受信すると、補正データを一時的に内蔵ＲＡＭに格納する。
【００６４】
ここで、本実施の形態では、ＬＰＨ制御部７２からの補正データの返信要求を受信すると、動作制御部８０において、受信した補正データを返信し、ＬＰＨ制御部７２からの補正データの反映指示を受信すると、受信した補正データをチップ制御部８４に出力すると共に、データ作成部８２による差分データの作成を実行する。差分データを作成する際には、補正データ格納部４８から読み出した出荷時データと、受信した補正データと、差分データの作成指示と、をデータ作成部８２に出力する。
【００６５】
また、動作制御部８０では、ＬＰＨ制御部７２から上記リセット信号を受信した場合、補正データ格納部４８から出荷時データ及び差分データを読出してデータ作成部８２に出力し、データ作成部８２に、前回の補正データの再現指示を出力する。
【００６６】
データ作成部８２では、動作制御部８０から差分データの作成指示が入力されると、出荷時データと補正データとの差を示す差分データの作成及び作成した差分データの動作制御部８０への出力を行う。
【００６７】
なお、動作制御部８０では、データ作成部８２により作成された差分データが入力されると、補正データ格納部４８の差分データを作成された差分データに更新する。
【００６８】
また、データ作成部８２では、前回の補正データの再現指示が入力されると、再現補正データの作成及び再現データのチップ制御部８４への出力を実行する。
【００６９】
チップ駆動部８４は、ＬＥＤアレイ４２に設けられた各ＬＥＤチップ４４と接続されており、動作制御部８０を介して入力される画像データと、動作制御部８０を介して入力される補正データ又はデータ作成部８２から入力される再現補正データと、に基づき生成した各ＬＥＤ毎の駆動信号を各ＬＥＤチップ４４にそれぞれ供給して各ＬＥＤの点灯状態を制御する。
【００７０】
次に、本実施の形態の作用を説明する。
【００７１】
図６は、本実施の形態に係る電源供給開始処理の流れの一例がフローチャートとして示されている。なお、本電源供給開始処理は、画像形成装置１０本体の電源投入時や、省電力モード等の画像形成装置１０自体の電源は切断されないもののＬＥＤアレイ４２を含む一部の部位への電力の供給が遮断されている状態から通常の動作状態への復帰時等に、ＣＰＵ５０を主として実行される処理の一部である。
【００７２】
まず、ステップ１００では、エラー回数Ｅに０をセット（リセット）し、次のステップ１０２では、出荷時データ送信要求をＬＥＤアレイ４２に送信し、その後にステップ１０４に移行する。
【００７３】
ステップ１０４では、ＬＥＤアレイ４２からの出荷時データの受信待ちを行い、次のステップ１０６では、受信した出荷時データと、画像形成装置１０の状態とに応じて補正データを生成する。
【００７４】
なお、画像形成装置１０の状態としては、画像形成装置１０に組み込む際の組み付け誤差や感光体ドラム１６の表面のわずかな傾斜や歪みなどに起因する光路差や、ＬＥＤアレイ４２に組み込む際の組み付け誤差、千鳥配置にしたことによる副走査方向の配置位置ずれを考慮した発光タイミングの補正などがあげられる。また、補正データとしては、各ＬＥＤ毎の発光タイミングや発光光量に対応するデータ等があげられる。
【００７５】
ステップ１０８では、ＬＥＤアレイ４２への補正データの送信を実行し、次のステップ１０９では、送信した補正データの返信要求を送信し、その後にステップ１１０に移行する。
【００７６】
ステップ１１０では、補正データの返信待ちを行い、その後にステップステップ１１２に移行して、返信された補正データが正常であるか否かを判定する。当該判定が否定判定となった場合はステップ１１４に移行する。
【００７７】
ステップ１１４では、エラー回数Ｅに１を加算し、その後にステップ１１６に移行して、エラー回数Ｅが予め設定した閾値Ｍ（Ｍは、上述した補正データを再送信する回数）よりも小さいか否かを判定する。当該判定が肯定判定となった場合はステップ１１８に移行して、補正データの再送信を行い、その後に再びステップ１０９に戻る。
【００７８】
一方、ステップ１１６で否定判定となった場合は、通信状態が異常であると判断し、ステップ１２０に移行してＬＥＤアレイ４２に送信中止信号を送信し、その後にステップ１２２に移行する。
【００７９】
ここで、閾値Ｍは、大きいほど電源供給開始処理に要する時間及び画像形成開始までの時間が長くなるが、生成した補正データを送信できる確率が高くなる。一方、閾値Ｍが小さいほど、電源供給開始処理に要する時間及び画像形成開始までの時間は短くなるが、生成した補正データを送信できる確率は低くなる。従って、当該閾値Ｍは、通信エラーの発生頻度や、画像形成開始までの時間の遅延と画質劣化とをどの程度まで許容するか、等によって、適宜設定することができる。
【００８０】
なお、画像形成開始までの時間の遅延が許容できない場合には、閾値Ｍを０としてもよい。この場合は、エラー信号を受信すると再送信は行なわれないことになる。
【００８１】
なお、当該閾値Ｍは、メンテナンス時等に設定変更可能に構成してもよいし、ユーザにより設定変更可能に構成してもよい。
【００８２】
一方、ステップ１１２で肯定判定となった場合は、ステップ１１３に移行して、LEDアレイ４２に対して補正データ反映指示を送信し、その後にステップ１２２に移行する。
【００８３】
ステップ１２２では、電源供給開始処理を終了するか否かを判定する。当該判定は、全てのＬＥＤアレイ４２の全てのＬＥＤチップ４４についての補正データが処理対象とされた場合には肯定判定となって、本電源供給開始処理を終了する。また、まだ本電源供給開始処理の処理対象とされていない補正データが存在する場合にはステップ１２２が否定判定となって、まだ処理対象とされていない補正データを処理対象として再びステップ１００に戻る。
【００８４】
図７には、ＬＥＤアレイ４２において、上記電源供給開始処理においてＬＰＨ制御部７２から送信された受信データ反映指示を受信した場合に実行される受信データ反映処理の流れの一例がフローチャートとして示されている。
【００８５】
まず、ステップ１３６では、受信した補正データをチップ制御部８４に出力して反映させる。なお、チップ制御部８４では、当該補正データに対応するＬＥＤチップ４４の各ＬＥＤの制御パラメータ等を補正データに基づいて変更することにより、補正データを反映させる。
【００８６】
次のステップ１３８では、受信した補正データと、補正データ格納部４８に格納された出荷時データとに基づいて差分データを作成する。その後、ステップ１４０に移行して、差分データの更新を実行し、本受信データ反映処理を終了する。これにより、補正データ格納部４８に格納された差分データを正常に受信した補正データに基づくデータとしている。
【００８７】
すなわち、画像制御部５６とＬＥＤアレイ４２との間の通信状態が良好である場合には、補正データが正常に受信され、受信された補正データを以後のＬＥＤチップ４４の制御に反映させる。また、このとき、差分データを作成して補正データ格納部４８に格納しておき、最新の補正データを導出可能にしておく。
【００８８】
図８には、ＬＥＤアレイ４２において、上記電源供給開始処理において画像制御部５６から送信されるリセット信号を受信した場合に実行される、リセット信号受信処理の流れを示すフローチャートが一例として示されている。
【００８９】
まず、ステップ１５０では、補正データ格納部４８に格納された出荷時データ及び差分データを読出し、次のステップ１５２に移行して、出荷時データ及び差分データに基づいて再現補正データを作成する。
【００９０】
次のステップ１５４では、作成した再現補正データをチップ制御部８４に出力して反映させ、その後に本リセット信号受信処理を終了する。
【００９１】
なお、チップ制御部８４では、当該再現補正データに対応するＬＥＤチップ４４の各ＬＥＤの制御パラメータ等を再現補正データに基づいて変更することにより、再現補正データを反映させる。
【００９２】
以上説明したように、本実施の形態によれば、発光素子として複数個のＬＥＤが配列されたＬＥＤチップ４４が設けられたＬＥＤアレイ４２を備え、各ＬＥＤの発光光量を均一にするために設定され、ＥＥＰＲＯＭ４８に予め記憶された出荷時データに基づいて、ＬＥＤアレイ４２により記録媒体を露光するための補正データを生成し、生成した補正データをＬＥＤアレイ４２に送信するに際し、補正データが正常に受信されたか異常が生じているかを識別し、正常であると識別された場合には、補正データと出荷時データとの差分を示す差分データをＥＥＰＲＯＭ４８に格納し、受信した露光用補正データが正常でないと識別された場合には、補正データの再送信を行うと共に、予め設定された回数だけ再送信を行なっても正常に受信されたと識別されない場合は補正データの送信を中止して、ＥＥＰＲＯＭ４８に保持された差分データと出荷時データとに基づいて導出される直近に受信された補正データの再現補正データを適用するので、通信エラーにより画像形成開始タイミングが遅延されることを防止できる。
【００９３】
画像形成開始タイミングの遅延を防止することにより、ユーザの待ち時間を少なくすることができるだけでなく、感光体ドラム１６や中間転写体ベルト１４などの周辺部品の駆動時間も少なくなるので、周辺部品の磨耗や寿命低下を防止できる。
【００９４】
なお、本実施の形態では、補正データの送信を実行する毎に通信エラーの回数を累積して、所定の回数になった場合にリセット信号を送信する形態について説明したが、本発明はこれに限定されるものではない。
【００９５】
例えば、予め設定した期間単位でのエラー回数を累積して、所定の回数になった場合にリセット信号を送信する形態とすることもできる。
【００９６】
更に、カラー印刷、白黒印刷等のモードに応じて、閾値Ｍを選択するようにしてもよい。例えば、白黒印刷の場合はブラックのＬＥＤアレイ４２Ｋにだけ電源供給処理を行うため、他の色の画像形成ユニット１５との調整も不要である。このため、白黒印刷の場合は、閾値Ｍを極端に少なく設定しても問題はない。更には、白黒印刷の場合は、生成及び通信自体を行なわないで、ＥＥＰＲＯＭ４８に保持された差分データを用いて導出した再現補正データを用いるようにすると共に、カラー印刷の場合は閾値Ｍを例えば１００回などとして、できるだけ通信を成功させるように構成してもよい。
【００９７】
また、本実施の形態では、差分データを１つだけ保持する形態について説明したが、処理パターンに応じて複数の差分データを保持しておき、処理パターンに基づいて実行すべき処理を選択する形態とすることもできる。
【００９８】
例えば、差分データをＬＰＨ２０の動作環境温度に応じて複数種類保持しておき、画像形成装置１０の内部に、ＬＰＨ２０の動作環境温度を検出するための温度検出センサを設置して、検出温度に応じた差分データを用いるようにすることができる。
【００９９】
なお、上記実施の形態における画像形成装置１０の構成（図１乃至図４参照）及び処理の流れ（図５乃至図８参照）は一例であり、適宜変更可能であることは言うまでもない。
【０１００】
例えば、上記実施の形態では、画像制御回路５６で通信エラーか否かを判定する形態について説明したが、当該判定及び通信の異常の有無の判定は、ＣＰＵ５０により実行するようにしてもよい。
【０１０１】
（他の形態）
また、上記実施の形態では、本体制御部側で通信状態を判定する形態について説明したが、本発明はこれに限定されるものではなく、ＬＰＨ２０（ＬＥＤアレイ４２）側のヘッド駆動回路４０に、通信状態の判定機能を持たせてもよい。
【０１０２】
他の形態の本体制御部側の処理及びＬＥＤアレイ４２側の処理について、図９乃至図１１を参照して説明する。
【０１０３】
なお、他の形態にかかる画像形成装置の構成は、上記実施の形態にかかる画像形成装置１０の構成と同様であり、各回路の機能のみが異なるので、上記実施の形態と同一の符号を付して図示及び説明を省略する。
【０１０４】
図９は、他の形態に係る電源供給開始処理の流れの一例がフローチャートとして示されている。なお、本他の電源供給開始処理は、画像形成装置１０本体の電源投入時や、省電力モード等の画像形成装置１０自体の電源は切断されないもののＬＥＤアレイ４２を含む一部の部位への電力の供給が遮断されている状態から通常の動作状態への復帰時等に、ＣＰＵ５０を主として実行される処理の一部である。
【０１０５】
まず、ステップ２００では、エラー回数Ｅに０をセット（リセット）し、次のステップ２０２では、出荷時データ送信要求をＬＥＤアレイ４２に送信し、その後にステップ２０４に移行する。
【０１０６】
ステップ２０４では、ＬＥＤアレイ４２からの出荷時データの受信待ちを行い、次のステップ２０６では、受信した出荷時データと、画像形成装置１０の状態とに応じて補正データを生成する。
【０１０７】
なお、画像形成装置１０の状態としては、画像形成装置１０に組み込む際の組み付け誤差や感光体ドラム１６の表面のわずかな傾斜や歪みなどに起因する光路差や、ＬＥＤアレイ４２に組み込む際の組み付け誤差、千鳥配置にしたことによる副走査方向の配置位置ずれを考慮した発光タイミングの補正などがあげられる。また、補正データとしては、各ＬＥＤ毎の発光タイミングや発光光量に対応するデータ等があげられる。
【０１０８】
ステップ２０８では、ＬＥＤアレイ４２への補正データの送信を実行し、次のステップ２１０では、受け取り信号の受信待ちを行う。
【０１０９】
受け取り信号を受信すると次のステップ２１２に移行して、受け取り信号が良好であるか否かを判定する。当該判定が否定判定となった場合はステップ２１４に移行する。
【０１１０】
ステップ２１４では、エラー回数Ｅに１を加算し、その後にステップ２１６に移行して、エラー回数Ｅが予め設定した閾値Ｍ（Ｍは、上述した補正データを再送信する回数）よりも小さいか否かを判定する。当該判定が肯定判定となった場合はステップ２１８に移行して、補正データの再送信を行い、その後に再びステップ２１０に戻る。
【０１１１】
一方、ステップ２１６で否定判定となった場合は、通信状態が異常であると判断し、ステップ２２０に移行してＬＥＤアレイ４２に送信中止信号を送信し、その後にステップ２２２に移行する。
【０１１２】
ここで、閾値Ｍは、大きいほど電源供給開始処理に要する時間及び画像形成開始までの時間が長くなるが、生成した補正データを送信できる確率が高くなる。一方、閾値Ｍが小さいほど、電源供給開始処理に要する時間及び画像形成開始までの時間は短くなるが、生成した補正データを送信できる確率は低くなる。従って、当該閾値Ｍは、通信エラーの発生頻度や、画像形成開始までの時間の遅延と画質劣化とをどの程度まで許容するか、等によって、適宜設定することができる。
【０１１３】
なお、画像形成開始までの時間の遅延が許容できない場合には、閾値Ｍを０としてもよい。この場合は、エラー信号を受信すると再送信は行なわれないことになる。
【０１１４】
なお、当該閾値Ｍは、メンテナンス時等に設定変更可能に構成してもよいし、ユーザにより設定変更可能に構成してもよい。
【０１１５】
一方、ステップ２１２で肯定判定となった場合は、ステップ２２２に移行する。
【０１１６】
ステップ２２２では、電源供給開始処理を終了するか否かを判定する。当該判定は、全てのＬＥＤアレイ４２の全てのＬＥＤチップ４４についての補正データが処理対象とされた場合には肯定判定となって、本電源供給開始処理を終了する。また、まだ本電源供給開始処理の処理対象とされていない補正データが存在する場合にはステップ２２２が否定判定となって、まだ処理対象とされていない補正データを処理対象として再びステップ２００に戻る。
【０１１７】
図１０には、ＬＥＤアレイ４２において、上記電源供給開始処理において生成された補正データを受信した場合に実行される補正データ受信処理の流れの一例がフローチャートとして示されている。
【０１１８】
まず、ステップ２３０では、受信データが正常であるか否かのチェックを実行し、次のステップ２３２では、チェックの結果、受信データが正常であるか否かを判定する。
【０１１９】
ステップ２３２で肯定判定となった場合は、ステップ２３４に移行して、良好信号を示す受け取り信号を画像制御部５６側に送信し、その後にステップ２３６に移行して、受信した補正データをチップ制御部８４に出力して反映させる。
【０１２０】
なお、チップ制御部８４では、当該補正データに対応するＬＥＤチップ４４の各ＬＥＤの制御パラメータ等を補正データに基づいて変更することにより、補正データを反映させる。
【０１２１】
次のステップ２３８では、受信した補正データと、補正データ格納部４８に格納された出荷時データとに基づいて差分データを作成する。その後、ステップ２４０に移行して、差分データの更新を実行し、本補正データ受信処理を終了する。これにより、補正データ格納部４８に格納された差分データを受信した補正データに基づくデータとしている。
【０１２２】
一方、受信データが正常でないと判断された場合には、ステップ２３２で否定判定となり、ステップ２４２に移行して、エラー信号を示す受け取り信号を画像制御部５６側に送信し、ステップ２３４乃至ステップ２４０の処理を実行することなく本補正データ受信処理を終了する。
【０１２３】
すなわち、画像制御部５６とＬＥＤアレイ４２との間の通信状態が良好である場合には、補正データが正常に受信され、受信された補正データを以後のＬＥＤチップ４４の制御に反映させる。また、このとき、差分データを作成して補正データ格納部４８に格納しておき、最新の補正データを導出可能にしておく。
【０１２４】
図１１には、ＬＥＤアレイ４２において、上記電源供給開始処理において画像制御部５６から送信される送信中止信号を受信した場合に実行される、再現補正データ作成処理の流れを示すフローチャートが一例として示されている。
【０１２５】
まず、ステップ２５０では、補正データ格納部４８に格納された出荷時データ及び差分データを読出し、次のステップ２５２に移行して、出荷時データ及び差分データに基づいて再現補正データを作成する。
【０１２６】
次のステップ２５４では、作成した再現補正データをチップ制御部８４に出力して反映させ、その後に本再現補正データ作成処理を終了する。
【０１２７】
なお、チップ制御部８４では、当該再現補正データに対応するＬＥＤチップ４４の各ＬＥＤの制御パラメータ等を再現補正データに基づいて変更することにより、再現補正データを反映させる。
【図面の簡単な説明】
【０１２８】
【図１】実施の形態に係る画像形成装置の全体構成が示されている。
【図２】実施の形態に係る画像形成ユニットの構成を示す概略図である。
【図３】実施の形態に係るＬＥＤプリントヘッドの構成を示す概略図である。
【図４】実施の形態に係る画像形成装置の電気系の構成の概略を示すブロック図である。
【図５】実施の形態に係る画像形成装置の画像制御部とＬＰＨとの通信制御に関する機能ブロック図である。
【図６】実施の形態に係る電源供給開始処理の流れを示すフローチャートである。
【図７】実施の形態に係る受信データ反映処理の流れを示すフローチャートである。
【図８】実施の形態に係るリセット信号受信処理の流れを示すフローチャートである。
【図９】他の形態に係る電源供給開始処理の流れを示すフローチャートである。
【図１０】他の形態に係る補正データ受信処理の流れを示すフローチャートである。
【図１１】他の形態に係る再現補正データ作成処理の流れを示すフローチャートである。
【符号の説明】
【０１２９】
１０    画像形成装置
１４    中間転写体ベルト
１６    感光体ドラム
１８    帯電ローラ
２０    ＬＥＤプリントヘッド
２２    現像器
２４    クリーニングブレード
４０    ヘッド制御回路（受信手段）
４２    ＬＥＤアレイ（記録ヘッド）
４４    ＬＥＤチップ（発光素子アレイ）
４６    セルフォックレンズアレイ
４８    ＥＥＰＲＯＭ（保持手段）
５０    ＣＰＵ
５１    バス
５２    ＲＯＭ
５４    ＲＡＭ
５６    画像制御回路（生成手段、送信手段、記録ヘッド制御手段、識別手段）
５８    入出力ポート
６０    モータ
６２    ファン
６６    本体制御部
【図１】
2008225305.tif 000003
【図２】
2008225305.tif 000004
【図３】
2008225305.tif 000005
【図４】
2008225305.tif 000006
【図５】
2008225305.tif 000007
【図６】
2008225305.tif 000008
【図７】
2008225305.tif 000009
【図８】
2008225305.tif 000010
【図９】
2008225305.tif 000011
【図１０】
2008225305.tif 000012
【図１１】
2008225305.tif 000013